(57)【特許請求の範囲】
【請求項１】
時計ケ−スと時計バンドの接続部の下面に保護部材が取り付けられている構造の腕時計において、前記時計ケ−スは、側面に一対の脚部を備え、前記脚部は、前記時計バンドを連結させるための連結部材を挿入する連結部材挿入穴と、前記脚部に形成された前記連結部材挿入穴の位置よりも下部位置に、前記保護部材を連結させるための取付部材を挿入する取付部材挿入穴とを備え、前記保護部材は貫通穴を形成し、該貫通穴に前記取付部材を挿入し、該取付部材と前記取付部材挿入穴とが嵌合し、回動可能に取り付けられており、前記保護部材は、前記貫通穴を有する本体部と、該本体部より前記貫通穴を越えて延出する延出部とを備え、該延出部は、前記時計バンドの下面に覆われるように配置され、前記時計バンドを上下に回動させたとき、前記保護部材は、前記時計バンドと共に、同じ上下方向に回動することを特徴とする腕時計の構造。
【請求項２】
前記保護部材は、前記時計バンドの長手方向に緩やかな円弧形状を形成し、前記時計バンドの下面に沿って取り付けられていることを特徴とする請求項１記載の腕時計の構造。
【請求項３】
前記保護部材の下面には、抗菌コ−ト処理が施されていることを特徴とする請求項１または２記載の腕時計の構造。
【請求項４】
前記保護部材の下面には、軟質樹脂からなるクッション材が固定されていることを特徴とする請求項１または２記載の腕時計の構造。
【発明の詳細な説明】
【０００１】
【発明の属する技術分野】
本発明は、腕時計を装着したときの装着感を改善した腕時計などの時計ケ−スに関するものである。
【０００２】
【従来の技術】
図６に、従来の腕への装着感を改善した腕時計の要部分解斜視図を示す。時計ケ−ス１０１は側面に脚部１０２と凹部１０８を有する。添板１０３は、弾性を有しており、平坦な基部１０４と、時計ケ−ス１０１の脚部１０２の間に嵌合するア−チ型突出部１０５とを有する。そして、ア−チ型突出部１０５と平坦な基部１０４の間には開口部１０９が形成される。また、ア−チ型突出部１０５の両端には、バネ棒挿入孔１１４が形成されている。時計バンド１０６はその端部に前記添板１０３のア−チ型突出部１０５に嵌合する突起１０７を有し、突起１０７には貫通孔１１０が形成される。そして、時計ケ−スの脚部１０２、添板１０３のア−チ型突出部１０５、及び時計バンド１０６の突起１０７を順次係合させて接続する。よって、この添板１０３に形成された平坦な基部１０４により、時計ケ−ス１０１と時計バンド１０６との間の段差がなくなるので、時計ケ−ス１０１と時計バンド１０６が手首に沿って、腕時計が装着される。
【０００３】
【発明が解決しようとする課題】
しかしながら、上記の腕時計構造にあっては下記のような問題点がある。
▲１▼装着感を向上させるための添板を設けても、時計ケ−スと時計バンドとの段差を解消できるとは言え、添板は固定されているため、回転しない。よって、腕時計を人体の腕に装着したとき、添板により、腕に圧迫感を受ける。
▲２▼添板は、時計ケ−スと時計バンドとの間に強固に固定されているため、構造上時計バンドと添板とは共に回転しない。添板は弾性体だが、基部と時計バンドが接触し、時計バンドは回動しにくい。そのため、腕時計を装着しにくい。
▲３▼添板の強度は向上しているが、そのために添板の構造が複雑になり、添板を加工するときにも手間がかかる。
▲４▼添板と人体の手首とは、常に密着しているため発汗し易い。そのため、埃の多い環境下で装着し続けた場合、黴菌が入ってしまう場合がある。人によっては、皮膚を痛めてしまう可能性がある。
▲５▼人体の腕と直接、接触する基部が平坦なため、腕時計と腕に装着したときのフィット感が低下する。
【０００４】
本願発明の目的は、上記の問題を解決し、次のような、人体の腕とのフィット感が非常に良好な腕時計の構造を提供するものである。
▲１▼腕時計を人体の腕に装着したとき、圧迫感を受けず、滑らかな装着感のある腕時計を提供すること。
▲２▼装着し易い腕時計を提供すること。
▲３▼構造が容易で、加工性の良い保護部材を備える腕時計を提供すること。
▲４▼抗菌効果のある保護部材を備える腕時計を提供すること。
▲５▼人体の腕とのフィット感を向上させる腕時計を提供すること。
【０００５】
【課題を解決するための手段】
本発明による腕時計の構造は、時計ケ−スと時計バンドの接続部の下面に保護部材が取り付けられている構造の腕時計において、前記時計ケ−スは、側面に一対の脚部を備え、前記脚部は、前記時計バンドを連結させるための連結部材を挿入する連結部材挿入穴と、前記脚部に形成された前記連結部材挿入穴の位置よりも下部位置に、前記保護部材を連結させるための取付部材を挿入する取付部材挿入穴とを備え、前記保護部材は貫通穴を形成し、該貫通穴に前記取付部材を挿入し、該取付部材と前記取付部材挿入穴とが嵌合し、回動可能に取り付けられていることを特徴とするものである。
【０００６】
かかる構成により、保護部材が回動する自由度が高いため、人体の腕に装着した時、保護部材が滑らかに腕に接触する。また、手首を動かしても、手首の運動に対応しながら保護部材が回動するため、手首への圧迫感を受けずに済む。
【０００７】
また、前記保護部材は、前記貫通穴を有する本体部と、該本体部より前記貫通穴を越えて延出する延出部とを備え、該延出部は、前記時計バンドの下面に覆われるように配置され、前記時計バンドを上下に回動させたとき前記保護部材は、前記時計バンドと共に、同じ上下方向に回動することを特徴とするものである。
【０００８】
かかる構成により、保護部材は、時計バンドの下面に回動可能に取り付けられる。また、保護部材は、貫通穴を有する本体部と、本体部より貫通穴を越えて延出する延出部とを備える。保護部材に延出部が形成されることにより、貫通穴から、延出部の先端までの距離が長くなる。よって延出部が時計バンドの下面に接触すると同時に掛止される。よって、延出部は常に時計バンドの下面に掛かっているため、時計バンドが上方向に回動すれば、保護部材も上方向に回動し、時計バンドが下方向に回動すれば、保護部材も下方向に回動する。よって、保護部材単体で回動することはなく、腕時計を人体の腕に装着する際、保護部材は時計バンドとほぼ同じ方向にあるため、装着し易い。
【０００９】
また、前記保護部材は、時計バンドの長手方向に緩やかな円弧形状を形成し、前記時計バンドの下面に沿って取り付けられていることを特徴とするものである。
【００１０】
かかる構成により、構造が容易で、加工性も良く、人体の腕とのフィット感が向上する。
【００１１】
また、前記保護部材の下面には、抗菌コ−ト処理が施されていることを特徴とするものである。
【００１２】
かかる構成により、殺菌性とともに黴菌が付着しにくくなる。
【００１３】
また、前記保護部材の下面には、軟質樹脂からなるクッション材が接着固定されていることを特徴とするものである。
【００１４】
かかる構成により、更に効果的な人体の腕とのフィット感が向上し、腕との感触も向上する。
【発明の実施の形態】
以下、本発明の実施の形態を図に基づいて詳細に説明する。かかる実施の形態は腕時計として説明される。
【００１５】
（第１の実施形態）
図１は、本件構造の要部分解斜視図を示し、図２は、その要部断面図を示す。
また、図３は、保護部材の断面図及び、上から見た平面図を示す。
【００１６】
図１に示される腕時計構造は、金属からなる板状の保護部材１と、時計ケ−ス２と、弾性を有した時計バンド３とを備える。時計ケ−ス１は、側面に一対の脚部４を備えている。脚部４には、時計バンド３を連結部材６によって連結させるための、連結部材挿入穴４ａが形成されている。また、脚部４には、連結部材挿入穴４ａの位置よりも、下部方向にあり、かつ脚部４の外方向に、保護部材１を取付部材５によって連結させるための取付部材挿入穴４ｂが形成されている。また、保護部材１は、取付部材貫通穴１ａを有する本体部１ｂと、その本体部１ｂより取付部材貫通穴１ａを越えて延出する延出部１ｃとを備えている。また、保護部材１は、取付部材貫通穴１ａのある側の一端部から他端部にかけて、外形が長手方向に緩やかに湾曲し、円弧部１ｄが形成される。また、保護部材１の一端部の先端はＲ形状を成し、Ｒ部１ｅが形成される。
【００１７】
次に本件構成の組立を説明していく。まず、時計ケ−ス２に時計バンド３を取り付ける。時計バンド３に形成された連結部材貫通穴３ａに連結部材６を挿通し、連結部材６を時計ケ−ス２に形成された脚部４の連結部材挿入穴４ａに嵌合させて、時計ケ−ス２と時計バンド３とが連結される。次に保護部材１を時計ケ−ス２に取り付ける。保護部材１に形成された取付部材貫通穴１ａに取付部材５を挿通し、その取付部材５を時計ケ−ス２に形成された脚部４の取付部材挿入穴４ｂに嵌合する。よって、保護部材１は、時計バンド３の下面に、時計ケ−ス２に形成された脚部４と回動可能に連結される。
【００１８】
前段で示した通りの構成によれば、保護部材１は時計バンド２の下面に沿って回動可能に連結される。このとき、時計バンド３と保護部材１とは重なるように構成されているが、時計バンド３と保護部材１の両方の厚みは、時計ケ−ス２の脚部４の短手方向の高さ以下に収まる。よって、時計ケ−ス２の下面部と保護部材１との段差が生じることなく、装着した際に違和感は無い。
【００１９】
また、保護部材１は、取付部材貫通穴１ａを有する本体部１ｂと、本体部１ｂより取付部材貫通穴１ａを越えて延出する延出部１ｃとを備えている。このことによって、取付部材貫通穴１ａから、Ｒ部１ｅのある面の先端部までの距離が長くなる。つまり、この距離が延出部１ｃの距離となる。よって、保護部材１が脚部４の取付部材挿入穴４ｂに取り付けられたとき、保護部材１の延出部１ｃが時計バンド３の下面に常に接触する。そして、時計バンド３の連結部材挿入穴３ａ側の一端とは反対方向の他端を上に上げたとき、すなわち時計バンド３を持ち上げたとき、保護部材１は、取付部材５を支点として、時計バンド３と共に回動する。つまり、時計バンド３の他端が上方向に上がると、保護部材１に形成された延出部１ｃが時計バンド３の下面に接触しながら、取付部材５を支点として、保護部材１は、延出部１ｃの形成されている側の一端とは反対側の他端も上方向にあがる。逆に、時計バンド３の他端が下方向に下がると、保護部材１の本体部１ｂと時計バンド３の下面とが接触し、取付部材５を支点として、保護部材１の他端も下方向に下がる。ただ、このとき、保護部材１は単体で下に下がったりはしない。なぜなら、保護部材１の他端に下方向の力が作用し、取付部材５を支点として、反作用の力が保護部材１の一端に働きかけたとしても、延出部１ｃが時計バンド３の下面と接触し、延出部１ｃが回動する力が規制される。よって保護部材１は、時計バンド３と一定の角度を保持しながら、時計バンド３と共に回動する。そして、保護部材１単体で回動することはない。
【００２０】
前段のような構造により、保護部材１は、単体で回動することはないため、保護部材１のみ回動して、時計ケ−ス２と接触して、時計ケ−ス２の表面、下面部等を傷つけることはない。また、本発明の腕時計を人体の腕に装着するときは、確実に保護部材１が、腕を覆うような角度となっているため、手で、保護部材１の角度を調整する手間がかからない。なぜなら、保護部材１は、時計バンド３と常に一定の角度を保持し、かつ、時計バンド３と共に回動するからである。本発明の腕時計を腕に装着しようとすれば、時計バンド３は両端に開かれる。つまり、保護部材１も時計バンド３と共に回動し、腕の形に沿った角度になるからである。
【００２１】
尚、保護部材１と時計バンド３の下面との間には、若干隙間を開けておいた方が好ましい。隙間の間隔としては、取付部材貫通穴１ａの中心から、保護部材１に形成されているＲ部１ｅの端部までの距離未満となる。この距離であれば、取付部材５を支点として、保護部材１が回動したとき、保護部材１に形成された延出部１ｃは、時計バンド３と接触する。また、隙間を介在させても、時計バンド３から保護部材１までの短手方向の距離は、時計ケ−ス２の脚部４の短手方向の高さ以下に収まる。
【００２２】
また、保護部材１は、一端部から他端部にかけて、外形が長手方向に緩やかに湾曲し、円弧部１ｂが形成されているので、腕の形状にフィットする。しかも、前段で説明したように、回動自在なため、手首の動きに合わせ保護部材１も連動するので、腕等に圧迫感を受けることなく、フィット感が向上する。また、保護部材１の形状は、ほぼ板状であるから、構造が容易で、かつ、製造する際にも加工性が良い。
【００２３】
尚、本実施例である時計バンド３は、弾性を有した時計バンドと説明したが、時計バンドの材質はこの限りではない。また、保護部材１を樹脂、ゴム等の変形する素材とすることで、更に、腕のフィット感が向上する。また、保護部材１の一端部に形成されたＲ部１ｅは、この形状に限るものではない。
【００２４】
（第２の実施形態）
図４は第２の実施形態を示す断面図である。尚、同一形状の部品については、第１の実施形態で付記した部品番号を使用した。
【００２５】
本実施例は、第１の実施形態の保護部材１に表面処理を施した点にある。また、その他の構造は第１の実施形態と同一のため、相違点以外は省略し、第１の実施形態との相違点のみ説明する。
【００２６】
第１の実施形態で説明した通り、保護部材１は、一端部から他端部にかけて、外形が長手方向に緩やかに湾曲し、円弧部１ｂが形成される。そこで、本実施例では、保護部材１の下面に抗菌コ−ト処理２１を施した。現在市場では、環境にやさしく、また、人間にもやさしいというコンセプトを掲げた商品が増加る。腕時計は長時間に渡り装着されているものであるから、人によっては、手首の皮膚等を傷つけてしまう可能性もある。よって、本実施例では、殺菌効果があり、また、黴菌等が手首の皮膚等に付着しない効果のある抗菌コ−ト処理を施した。このことにより人体の皮膚等を傷つけることを減少させることが可能となる。抗菌コ−ト材としては、チタンの酸化物からなる粉末と有機樹脂とを混ぜ、塗料とし、スプレ−塗装にして塗装し、熱処理によって抗菌コ−ト材を固着させる。ただし、抗菌コ−ト材の固着方法はこの限りではない。尚、熱処理を考慮すると、保護部材１の素材を樹脂材としたときには、耐熱性のある、ウレタン、ポリカ−ボネイト等を使用した素材が好ましい。
【００２７】
（第３の実施形態）
図５は、第３の実施形態を示す断面図である。尚、同一形状の部品については第１及び第２の実施形態で付記した部品番号を使用した。
【００２８】
本実施例では、保護部材１に軟質樹脂からなるクッション材を接着固定した点である。また、その他の構造については、第１及び第２の実施形態と同一のため、相違点以外は省略し、相違点のみ説明する。
【００２９】
本実施例では、保護部材１の下面に軟質樹脂からなるクッション材３１を接着固定した。このことによって、腕とのフィット感が更に向上し、感触も良好となる。尚、クッション材３１は、保護部材１の材質が、金属材であっても、プラスチック材であっても問題はない。
【発明の効果】
【００３０】
以上のように構成された本発明に係わる腕時計の構造のよれば、下記のような効果を発揮する。
（１）腕時計を人体の腕に装着したとき、手首に圧迫感を受けず、滑らかに腕時計を装着できる。
（２）保護部材によって時計ケ−スを傷つけることがなくなる。
（３）保護部材の構造が容易になり、かつ加工性も向上する。
（４）抗菌効果がある。
（５）人体の腕とのフィット感が向上する。
【図面の簡単な説明】
【図１】本発明の第１実施形態を示した腕時計の構造の要部分解斜視図である。
【図２】本発明の第１実施形態を示した腕時計の構造の要部断面図である。
【図３】（ａ）は本発明の保護部材を示した上から見た平面図で、（ｂ）はその断面図である。
【図４】本発明の第２実施形態を示した腕時計の構造の保護部材の断面図である。
【図５】本発明の第３実施形態を示した腕時計の構造の保護部材の断面図である。
【図６】従来構造の一部破断した分解斜視図である。
【符号の説明】
１  保護部材
１ａ  取付部材貫通穴
１ｂ  本体部
１ｃ  延出部
１ｄ  円弧部
１ｅ  Ｒ部
２  時計ケ−ス
３  時計バンド
３ａ  連結部材挿入穴
４  脚部
４ａ  連結部材挿入穴
４ｂ  取付部材挿入穴
５  取付部材
６  連結部材
２１  抗菌コ−ト
３１  クッション材
１０１  時計ケ−ス
１０２  脚部
１０３  添板
１０４  基部
１０５  突出部
１０６  時計バンド
１０７  突起
１０８  凹部
１０９  開口部
１１０  貫通孔
１１１  バネ棒
１１２  バネ棒ピン挿入孔
１１３  ピン
【図１】
0004551543.tif 000002
【図２】
0004551543.tif 000003
【図３】
0004551543.tif 000004
【図４】
0004551543.tif 000005
【図５】
0004551543.tif 000006
【図６】
0004551543.tif 000007